【事件の表示】
　特許第３００８４１８号「防犯監視装置」の請求項１に係る特許に対する特許異議の申立てについて、次のとおり決定する。
【結　論】
　訂正を認める。
　特許第３００８４１８号の請求項１に係る特許を維持する。
【理　由】
１．手続の経緯
　特許第３００８４１８号の請求項１に係る発明についての出願は平成１年１２月２２日に特許出願され、平成１１年１２月３日にその発明について特許の設定登録がなされ、その後、その特許について、特許異議申立人小沢久美子より特許異議の申立がなされ、取消理由通知がなされ、その指定期間内である平成１２年１２月２６日に訂正請求がなされた後、訂正拒絶理由通知がなされ、その指定期間内である平成１３年４月３日に手続補正書が提出されたものである。
　
２．訂正請求書の補正の適否
（１）補正の内容
　平成１３年４月３日付け手続補正書による補正事項は、以下のａ〜ｎのとおりである。
　ａ．全文訂正明細書第３頁第１４〜１８行の「になるので、誤報を防ぐことができる。また、暗証番号設定モードに設定して暗証番号を入力する際に暗証番号が表示されて、その確認が可能であるとともに、警戒モードへの切り替え操作に連動して暗証番号の表示が消えるので、暗記番号を他人に見られる危険性が少なく、さらに設定モードから警戒モードへの切り替え忘れを防止できる。」を、「になるので、誤報を防ぐことができるものであります。」と補正する。
　
　ｂ．全文訂正明細書第６頁第１６〜２９行の「（４）また、暗証番号の設定を行う場合には、動作／設定スイッチを設定側にセットすることにより、表示部はテンキーを使って暗証番号を設定すべき旨の表示を行うので、居住者は暗証番号の入力を求められていることを認識でき、暗証番号の設定操作が確実に行われる。（５）さらに、動作／設定スイッチが、設定側にセットされている場合に、テンキーを使って任意の暗証番号を設定すると、この暗証番号は表示部に表示されるので、暗証番号の設定を行う者にとっては暗証番号の確認が容易になる。（６）それに加えて、その後、動作／設定スイッチを動作側にセットするだけでなく、警戒／解除ボタンを警戒側にセットすることで、表示部の暗証番号は消え、代わりに警戒モードに設定されるので、警戒モードへの設定後は、暗証番号が第三者によって見られることがなくなるとともに、警戒／解除ボタンを押さない限り、暗証番号が表示されつづけるため、暗証番号の設定を行う者は警戒モードへの設定が行われていないことを認識し、警戒モードへの設定忘れを防ぐことができる。」を、削除する。
　
　ｃ．訂正請求書の第３頁第２９行〜第４頁第１行の「Ａ５．同第１ページ第１欄第９行の「動作スイッチの作動」を、明瞭でない記載の釈明を目的として「前記タイマー監視部の作動」と訂正する。」を、「Ａ５．同第１ページ第１欄第９行の「動作スイッチの作動」を、明瞭でない記載の釈明を目的として「前記センサー発報監視部の作動」と訂正する。」と補正する。
　
　ｄ．訂正請求書の第４頁第８〜１０行の「Ａ８．同第１ページ第１欄第１５行の「テンキーとを備え」を特許請求の範囲の減縮を目的として「テンキーと、前記警戒モードまたは前記解除モードもしくは前記設定モードのそれぞれの状態に応じた表示を行う表示部とを備え」と訂正する。」を、「Ａ８．同第１ページ第１欄第１５行の「テンキーとを備え」を特許請求の範囲の減縮を目的として「テンキーと、前記設定モードに応じた表示を行う表示部とを備え」と訂正する。」と補正する。
　
　ｅ．訂正請求書の第４頁第１１〜１６行の「Ａ９．同第１ページ第１欄第１５行の「備えたことを特徴とする」を、特許請求の範囲の減縮を目的として、「備え、前記設定モードに設定された場合には、前記表示部が前記テンキーにより前記暗証番号の入力を行うべき旨の表示を行うとともに、前記暗証番号の入力にあわせて前記表示部に前記暗証番号を表示し、前記暗証番号の設定終了後に前記警戒モードに設定された場合には前記暗証番号の表示を消す機能を有することを特徴とする」と訂正する。」を、「Ａ９．同第１ページ第１欄第１５行の「備えたことを特徴とする」を、特許請求の範囲の減縮を目的として、「備え、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能を有することを特徴とする」と訂正する。」と補正する。
　
　ｆ．訂正請求書の第４頁第２７〜２９行の「Ｂ４．同第２ページ第１欄第３６行における「設けられ切り替えのための」を、明瞭でない記載の釈明を目的として、「設けられ解除モードへの切り替えのための」と訂正する。」を、「Ｂ４．同第２ページ第１欄第３６行における「設けられ切り替えのための」を、明瞭でない記載の釈明を目的として、「設けられ解除モードへの切り替えのために」と訂正する。」と補正する。
　
　ｇ．訂正請求書の第５頁第１〜９行の「Ｂ５．同第２ページ第１欄第３７行における「設定及び入力を行うテンキーと、を備えたものである。」を、明瞭でない記載の釈明を目的として、「設定を行う設定モードに切り替える設定スイッチ部と、前記暗証番号の入力を行うテンキーと、前記警戒／解除モードもしくは前記設定モードのそれぞれの状態に応じた表示を行う表示部とを備え、前記設定モードに設定された場合には、前記表示部が前記テンキーにより前記暗証番号の入力を行うべき旨の表示を行うとともに、前記暗証番号の入力にあわせて前記表示部に前記暗証番号を表示し、前記警戒モードに設定された場合には前記暗証番号の表示を消す機能とを備えたものである。」と訂正する。」を、「Ｂ５．同第２ページ第１欄第３７行における「設定及び入力を行うテンキーと、を備えたものである。」を、明瞭でない記載の釈明を目的として、「設定を行う設定モードに切り替える設定スイッチ部と、前記暗証番号の入力を行うテンキーと、前記設定モードに応じた表示を行う表示部とを備え、前記設定モードに設定された場合には、前記表示部が前記テンキーにより前記暗記番号の入力を行うべき旨の表示を行うとともに、前記暗証番号の入力によって前記表示部に前記暗証番号を表示し、前記警戒モードに設定された場合には前記暗証番号の表示を消す機能とを備えたものである。」と訂正する。」と補正する。
　
　ｈ．訂正請求書の第５頁第１２〜１７行の「Ｂ７．同第２ページ第１欄第４９行における「防ぐことができるのものであります。」を、明瞭でない記載の釈明を目的として、「防ぐことができる。また、暗証番号設定モードに設定して暗証番号を入力する際に暗証番号が表示されて、その確認が可能であるとともに、警戒モードへの切り替え操作に連動して暗証番号の表示が消えるので、暗証番号を他人に見られる危険性が少なく、さらに設定モードから警戒モードへの切り替え忘れを防止できる。」に訂正する。」を、削除する。
　
　ｉ．訂正請求書の第５頁第２５行〜第６頁第１０行の「Ｂ９．同第３ページ文末に、明瞭でない記載の釈明を目的として、「（４）また、暗証番号の設定を行う場合には、動作／設定スイッチを設定側にセットすることにより、表示部はテンキーを使って暗証番号を設定すべき旨の表示を行うので、居住者は暗証番号の入力を求められていることを認識でき、暗証番号の設定操作が確実に行われる。（５）さらに、動作／設定スイッチが、設定側にセットされている場合に、テンキーを使って任意の暗証番号を設定すると、この暗証番号は表示部に表示されるので、暗証番号の設定を行う者にとっては暗証番号の確認が容易になる。（６）それに加えて、その後、動作／設定スイッチを動作側にセットするだけでなく、警戒／解除ボタンを警戒側にセットすることで、表示部の暗証番号は消え、代わりに警戒モードに設定されるので、警戒モードへの設定後は、暗証番号が第三者によって見られることがなくなるとともに、警戒／解除ボタンを押さない限り、暗証番号が表示されつづけるため、暗証番号の設定を行う者は警戒モードへの設定が行われていないことを認識し、警戒モードへの設定忘れを防ぐことができる。」を挿入する。」を、削除する。
　
　ｊ．訂正請求書の第８頁第２６行〜第９頁第１行の「上記訂正事項Ａ８については明細書の特許請求の範囲に「前記警戒モードまたは前記解除モードもしくは前記設定モードのそれぞれの状態に応じた表示を行う表示部」を付加しようとするものであり、この表示部は、同第２ページ第２欄第３３行から同第２ページ第２欄第３６行まで及び第２図に記載されていたものである。」を、「上記訂正事項Ａ８については明細書の特許請求の範囲に「前記設定モードに応じた表示を行う表示部」を付加しようとするものであり、この表示部は、同第２ページ第２欄第３３行から同第２ページ第２欄第３６行まで及び第２図に記載されていたものである。」と補正する。
　
　ｋ．訂正請求書の第９頁第５〜１１行の「上記訂正事項Ａ９については明細書の特許請求の範囲に「前記設定モードに設定された場合には、前記表示部が前記テンキーにより前記暗証番号の入力を行うべき旨の表示を行うとともに、前記暗証番号の入力にあわせて前記表示部に前記暗証番号を表示し、前記暗証番号の設定終了後に前記警戒モードに設定された場合には前記暗証番号の表示を消す機能を有する」ことを付加しようとするものであり、この機能は、同第２ページ第２欄第３０行から同第２ページ第２欄第４１行までに記載されていたものである。」を、「上記訂正事項Ａ９については明細書の特許請求の範囲に「前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能」を付加しようとするものであり、この機能は、同第２ページ第２欄第３０行から同第２ページ第２欄第４１行までに記載されていたものである。」と補正する。
　
　ｌ．訂正請求書第１２頁第１５行〜第１３頁第４行の「上記訂正事項Ｂ７については、訂正後の特許請求の範囲と明細書本文中に記載された設定スイッチ及び表示機の機能についての記載と明細書本文の不合理を解消して、その記載を明瞭化したものであり、「暗証番号設定モードに設定して暗証番号を入力する際に暗証番号が表示されて、その確認が可能であるとともに、警戒モードへの切り替え操作に連動して暗証番号の表示が消える」、という作用は、同第２ページ第２欄第３０行から同第２ページ第２欄第４１行までに記載された通りである。また、「暗証番号を他人に見られる危険性が少なく、さらに設定モードから警戒モードへの切り替え忘れを防止できる。」という効果は、前記した作用から明らかである。この訂正は、訂正後の特許請求の範囲と明細書本文中に記載された記載との不合理を解消して、その記載を明瞭化したものであり、これらの構成のうち、「設定スイッチ」については同第２ページ第２欄第３０行から同第２ページ第２糊第３３行まで及び第２図に、「表示部」については同第２ページ第２欄第３３行から同第２ページ第２欄第３６行まで及び第２図に、そしてそれぞれの機能については上記したように同第２ページ第２欄第３０行から同第２ページ第２欄第４１行までに記載されていたものであり、その作用効果について、特許請求の範囲の記載と明細書本文の記載の対応を明瞭にしたものであるから、特許法第１２０条の４第２項ただし書き第３号に規定する明瞭でない記載の釈明に相当するものである。」を、削除する。
　
　ｍ．訂正請求書第１３頁第２６行〜第１５頁第２行の「上記訂正事項Ｂ９については、訂正後の特許請求の範囲と明細書本文中に記載された設定スイッチ、表示機及び警戒／解除ボタンの機能についての記載と明細書本文の不合理を解消して、その記載を明瞭化したものであり、「暗記番号の設定を行う場合には、動作／設定スイッチを設定側にセットすることにより、表示部はテンキーを使って暗証番号を設定すべき旨の表示を行う」という作用は、同第２ページ第２欄第３０行から同第２ページ第２欄第４１行までに記載された通りである。また、「居住者は暗証番号の入力を求められていることを認識でき、暗証番号の設定操作が確実に行われる」という効果は、上記した作用から明らかである。また，「動作／設定スイッチが、設定側にセットされている場合に、テンキーを使って任意の暗証番号を設定すると、この暗証番号は表示部に表示される」という作用は、同第２ページ第２欄第３０行から同第２ページ第２欄第４１行までに記載された通りである。また、「暗証番号の設定を行う者にとっては暗証番号の確認が容易になる」という効果は、上記した作用から明らかである。さらに、「その後、動作／設定スイッチを動作側にセットするだけでなく、警戒／解除ボタンを警戒側にセットすることで、表示部の暗証番号は消え、代わりに警戒モードに設定される」という作用は、同第２ページ第２欄第３０行から同第２ページ第２欄第４１行までに記載された通りである。また、「警戒モードへの設定後は、暗証番号が第三者によって見られることがなくなるとともに、警戒／解除ボタンを押さない限り、暗証番号が表示されつづけるため、暗証番号の設定を行う者は警戒モードへの設定が行われていないことを認識し、警戒モードへの設定忘れを防ぐことができる。」という効果は、上記した作用から明らかである。これらの訂正は、訂正後の特許請求の範囲と明細書本文中に記載された記載との不合理を解消して、その記載を明瞭化したものであり、これらの構成のうち、「設定スイッチ」については同第２ページ第２欄第３０行から同第２ページ第２欄第３３行まで及び第２図に、「表示部」については同第２ページ第２欄第３３行から同第２ページ第２欄第３６行まで及び第２図に、「警戒／解除ボタン」については同第２ページ第２欄第３７行から同第２ページ第２欄第４１行までに、そしてそれぞれの機能については同第２ページ第２欄第３０行から同第２ページ第２欄第４１行までに記載されていたものである。この訂正は、特許請求の範囲の記載と明細書本文の記載の対応を明瞭にしたものであるから、特許法第１２０条の４第２項ただし書き第３号に規定する明瞭でない記載の釈明に相当するものである。」を、削除する。
　
　ｎ．訂正請求書の第６頁第１４〜１５行の「上記訂正事項Ａ１については、明細書の特許請求の範囲に記載された「センサー発報部」の役割を明瞭化したものであり、」を、「上記訂正事項Ａ１については、明細書の特許請求の範囲に記載された「センサー発報監視部」の役割を明瞭化したものであり、」と補正する。
　
（２）補正の適否
　上記補正事項ａ、ｂ、ｈ、ｉ、ｌ、ｍは、平成１２年１２月２６日付け訂正請求書に記載の訂正事項である発明の詳細な説明の［作用］の欄、及び［発明の効果］の欄の記載を特許明細書に記載された同欄の記載に戻すものであって、訂正事項の一部を削除するものであり、また、上記補正事項ｃ〜ｇ、ｊ、ｋ、ｎは、訂正請求書に記載の訂正事項が訂正請求書に添付の訂正明細書中の訂正事項と一致しない部分を訂正明細書の記載と一致させるものであるから、誤記の訂正を目的とするものであって、いずれも訂正請求の要旨を変更するものではないから、当該補正を認める。
　
３．訂正の適否
（１）訂正の内容
　特許権者が求めている訂正の内容は以下のＡ（Ａ１〜Ａ９）、Ｂ（Ｂ１〜Ｂ６、Ｂ８）のとおりである。
　Ａ．特許請求の範囲の訂正
　特許第３００８４１８号公報の特許請求の範囲の「防犯センサーからの発報を受けるセンサー発報監視部と、前記センサー発報監視部からの指令により起動する警報実行手段と、前記センサー発報監視部で防犯センサーからの発報を有効なものとする警戒モードから防犯センサーから発報を無効なものとする解除モードへ切り替える警戒／解除モード切り替え部と、前記警戒／解除モード切り替え部で、警戒モードに設定された場合、又は玄関の扉が開閉された場合に動作スイッチの作動を一定時間遅延させるタイマー監視部と、前記警戒／解除モード切り替え部或いは前記タイマー監視部の指令により前記センサー発報監視部の作動を制御する動作スイッチと、前記警戒／解除モード切り替え部に設けられ、切り替えのために入力が条件となる暗証番号の設定及び入力を行うテンキーとを備えたことを特徴とする防犯監視装置。」の記載を，明瞭でない記載の釈明及び特許請求の範囲の減縮を目的として、
「防犯センサーからの発報を受けるセンサー発報監視部と、前記センサー発報監視部からの指令により起動する警報実行手段と、前記センサー発報監視部
において受けられる前記
前記
の
前記センサー発報監視部
前記警戒モードから前記解除モードへの
を行う設定モードに切り替える設定スイッチ部と、前記暗証番号の
前記設定モードに応じた表示を行う表示部と
、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗記番号の設定後に前記警戒モードに設定された場合には前記暗証番号の表示を消す機能を有する
　
　この訂正は以下に示す訂正事項よりなる。
　Ａ１．特許第３００８４１８号公報第１頁第１欄第４行から同第５行における「前記センサー発報監視部で防犯センサーからの」を、明瞭でない記載の釈明を目的として「前記センサー発報監視部において受けられる前記防犯センサーからの」と訂正する。
　
　Ａ２．同第１頁ジ第１欄第６行における「防犯センサー」を明瞭でない記載の釈明を目的として、「前記防犯センサー」と訂正する。
　
　Ａ３．同第１頁第１欄第６行における「防犯センサーから発報を」を、明瞭でない記載の釈明を目的として、「防犯センサーからの発報を」と訂正する。
　
　Ａ４．同第１頁第１欄第８行の「警戒モード」を、明瞭でない記載の釈明を目的として「前記警戒モード」と訂正する。
　
　Ａ５．同第１頁第１欄第９〜１０行の「動作スイッチの作動」を、明瞭でない記載の釈明を目的として「前記センサー発報監視部の作動」と訂正する。
　
　Ａ６．同第１頁第１欄第１３〜１４行の「前記警戒／解除モード切り替え部に設けられ、切り替えのために」を明瞭でない記載の釈明を目的として「前記警戒モードから前記解除モードへの切り替えのために」と訂正する。
　
　Ａ７．同第１頁第１欄第１４〜１５行の「暗証番号の設定及び入力を行うテンキー」を特許請求の範囲の減縮を目的として「暗証番号の設定を行う設定モードに切り替える設定スイッチ部と、前記暗証番号の入力を行うテンキー」と訂正する。
　
　Ａ８．同第１頁第１欄第１５行の「テンキーとを備え」を特許請求の範囲の減縮を目的として「テンキーと、前記設定モードに応じた表示を行う表示部とを備え」と訂正する。
　
　Ａ９．同第１頁第１欄第１５行の「備えたことを特徴とする」を、特許請求の範囲の減縮を目的として、「備え、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能を有することを特徴とする」と訂正する。
　
Ｂ．発明の詳細な説明の訂正
　Ｂ１．同第１頁第２欄第１４行における「中央監視所など通報」を、誤記の訂正を目的として、「中央監視所などへ通報」と訂正する。
　
　Ｂ２．同第２頁第１欄第２６行における「解決するものあり」を、誤記の訂正を目的として、「解決するものであり」と訂正する。
　
　Ｂ３．同第２頁第１欄第３４〜３６行における「前記センサー発報監視部で防犯センサーからの発報を有効なものとする解除モードへ切り替える」を、誤記の訂正を目的として、「前記センサー発報監視部において受けられる前記防犯センサーからの発報を無効なものとする解除モードと有効なものとする警報モードとを切り替える」と訂正する。
　
　Ｂ４．同第２頁第１欄第３６〜３７行における「設けられ切り替えのための」を、明瞭でない記載の釈明を目的として、「設けられ解除モードへの切り替えのために」と訂正する。
　
　Ｂ５．同第２頁第１欄第３７〜３８行における「設定及び入力を行うテンキーと、を備えたものである。」を、明瞭でない記載の釈明を目的として、「設定を行う設定モードに切り替える設定スイッチ部と、前記暗証番号の入力を行うテンキーと、前記設定モードに応じた表示を行う表示部とを備え、前記設定モードに設定された場合には、前記表示部が前記テンキーにより前記暗証番号の入力を行うべき旨の表示を行うとともに、前記暗記番号の入力によって前記表示部に前記暗証番号を表示し、前記警戒モードに設定された場合には前記暗証番号の表示を消す機能とを備えたものである。」と訂正する。
　
　Ｂ６．同第２頁第１欄第４７〜４８行における「開閉してを出て」を、誤記の訂正を目的として、「開閉して出て」と訂正する。
　
　Ｂ８．同第２頁第２欄第４０行における「表示される。これによって」の「表示される。」と「これによって」の間に、明瞭でない記載の釈明を目的として、「なお、動作／設定切替スイッチ９は、上記のように、暗証番号の入力を行う際に押される設定スイッチと暗証番号の入力終了時に押される動作スイッチとからなるが、この動作スイッチは、装置内部に設けられた動作スイッチ７とは別のスイッチであり、あくまで暗証番号の設定終了時に押される動作スイッチである。」を挿入する。
　
（２）訂正の目的の適否、新規事項の有無及び拡張・変更の存否
　Ａ．特許請求の範囲の訂正
　Ａ１．訂正事項Ａ１について
　　上記訂正事項Ａ１については、明細書の特許請求の範囲に記載された「センサー発報監視部」の役割を明瞭化したものであり、この構成は、特許第３００８４１８号公報第２頁第２欄第７行の記載から明らかである。この訂正は、センサー発報監視部の役割が防犯センサーから発報を受けることにあることを明瞭にしたものであるから、明瞭でない記載の釈明に相当するものである。
　
　Ａ２．訂正事項Ａ２について
　　上記訂正事項Ａ２については、また、明細書の特許請求の範囲に記載された「防犯センサー」が請求の範囲中に前記されたものであることを明瞭化したものであり、この構成は、同第２頁第２欄第１２行から同第２頁第２欄第１５行までの記載から明らかである。この訂正は、請求の範囲中の防犯センサーが請求の範囲に前記した防犯センサーであることを明瞭にしたものであるから、明瞭でない記載の釈明に相当するものである。
　
　Ａ３．訂正事項Ａ３について
　　上記訂正事項Ａ３については、明細書の特許請求の範囲に記載された「防犯センサーから発報を無効なものとする」の記載が「防犯センサーが発報を無効なものとする」ことを意味するとの誤解を生ずることから、これが、「防犯センサーからの発報を無効なものとする」ことを意味することを明瞭化したものであり、この構成は、同第２頁第２欄第１２行から同第２頁第２欄第１５行までの記載から明らかである。この訂正は、請求の範囲中の「解除モード」の定義を明瞭にしたものであるから、明瞭でない記載の釈明に相当するものである。
　
　Ａ４．訂正事項Ａ４について
　　上記訂正事項Ａ４については、明細書の特許請求の範囲に記載された「警戒モード」が請求の範囲に前記されたものであることを明瞭化したものであり、この構成は、同第２頁第２欄第１７行から同第２頁第２欄第２２行までの記載から明らかである。この訂正は、請求の範囲中の警戒モードが請求の範囲中に前記した警戒モードであることを明瞭にしたものであるから、明瞭でない記載の釈明に相当するものである。
　
　Ａ５．訂正事項Ａ５について
　　上記訂正事項Ａ５については、同第１頁第１欄９行に記載された「動作スイッチ」が同第１頁第１欄１２行から１３行にかけて記載された「動作スイッチ」との関係において不合理を生じており、これを明瞭化するため、先に記載された「動作スイッチ」が「センサー発報監視部」を意味することを示して、その関係を明瞭化したものである。このセンサー発報監視部の役割については、訂正前の特許請求の範囲第１１行において動作スイッチにより制御されるものであることが最初から記載されており、この構成は、同第２頁第２欄第４１行から同第３頁第１欄第１１行までの記載からも明らかである。この訂正は、請求の範囲中のセンサー発報監視部の作動が動作スイッチの動作に連動していることを意味していることを明瞭にしたものであるから、明瞭でない記載の釈明に相当するものである。
　
　Ａ６．訂正事項Ａ６について
　　上記訂正事項Ａ６については、明細書中の特許請求の範囲に記載された「前記警戒／解除モード切り替え部に設けられ、切り替えのために」の記載が、何の切り替えのためなのかが不明瞭であることから、「前記警戒モードから前記解除モードへの切り替えのために」であることを意味することを明瞭化したものであり、この構成は、同第２頁第２欄第４９行から同第３頁第１欄第２行まで、又は同第３頁第１欄第１８行から同第３頁第１欄第２１行までの記載から明らかである。この訂正は、特許請求の範囲中の切り替えの意味を明瞭にしたものであるから、明瞭でない記載の釈明に相当するものである。
　
　Ａ７．訂正事項Ａ７について
　　上記訂正事項Ａ７については、明細書の特許請求の範囲に記載された「暗証番号の設定及び入力を行うテンキー」に構成要件「暗記番号の設定を行う設定モードに切り替える設定スイッチ部」を付加しようとするものであり、この設定スイッチ部は、同第２頁第２欄第３０行から同第２頁第２欄第３３行まで及び第２図に記載されていたものである。
　したがって、この訂正は、特許請求の範囲の減縮を目的とするものである。
　
　Ａ８．訂正事項Ａ８について
　　上記訂正事項Ａ８については明細書の特許請求の範囲に「前記設定モードに応じた表示を行う表示部」を付加しようとするものであり、この表示部は、同第２頁第２欄第３３行から同第２頁第２欄第３６行まで及び第２図に記載されていたものである。
　したがって、この訂正は、特許請求の範囲の減縮を目的とするものである。
　
　Ａ９．訂正事項Ａ９について
　　上記訂正事項Ａ９については明細書の特許請求の範囲に「前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能」を付加しようとするものであり、この機能は、同第２頁第２欄第３０行から同第２頁第２欄第４１行までに記載されていたものである。
　したがって、この訂正は、特許請求の範囲の減縮を目的とするものである。
　即ち、上記訂正事項Ａ１からＡ９は、願書に添付した明細書又は図面に記載した事項の範囲内の訂正であり、実質上特許請求の範囲を拡張し又は変更するものでもない。
　
　Ｂ．発明の詳細な説明の訂正
　Ｂ１．訂正事項Ｂ１について
　　上記訂正事項Ｂ１については明細書本文中に記載された「中央監視所など通報」が「中央監視所などへ通報」の誤記であることが、同第１頁第２欄第１３行から同第１頁第２欄第１５行までの前後の文脈から明らかであり、訂正後の記載が、出願当初の明細書又は図面に記載した事項の範囲内のものとなっている。また、この訂正は、従来の技術の記載であるため、実質上特許請求の範囲を拡張し、又は変更するものでもない。
　即ち、この訂正は、誤記の訂正に相当するものである。
　
　Ｂ２．訂正事項Ｂ２について
　　上記訂正事項Ｂ２については明細書本文中に記載された「解決するものあり」が「解決するものであり」の誤記であることが、同第２頁第１欄第２６行の前後の文脈から明らかであり、この他の訂正は考えられず、訂正後の記載が、出願当初の明細書又は図面に記載した事項の範囲内のものとなっている。また、この訂正は、実質上特許請求の範囲を拡張し、又は変更するものでもない。
　
　Ｂ３．訂正事項Ｂ３について
　　上記訂正事項Ｂ３については明細書本文中に記載された「前記センサー発報監視部で防犯センサーからの発報を有効なものとする解除モード」が、同第２頁第２欄第１２行から同第２頁第２欄第１５行の記載と矛盾しており、記載上の不合理を生じているため、この不合理を解消してその記載を明瞭化したものであり、同時に訂正後の特許請求の範囲との不合理も解消しようとするものである。この構成は、同第２頁第２欄第１２行から同第２頁第２欄第１５行の記載から明らかである。この訂正は、解除モードの役割を明瞭化したものであるから、明瞭でない記載の釈明に相当するものである。
　即ち、上記訂正事項Ｂ３は、願書に添付した明細書または図面に記載した事項の範囲内の訂正であり、また、特許請求の範囲を拡張しまたは変更するものでもない。
　
　Ｂ４．訂正事項Ｂ４について
　　上記訂正事項Ｂ４については明細書本文中に記載された「切り替えのための」が何の切り替えのためなのかが不明瞭であることから、「前記解除モードへの切り替えのために」であることを意味することを明瞭化したものであり、同時に訂正後の特許請求の範囲との不合理も解消しようとするものである。この構成は、同第２頁第２欄第４９行から同第３頁第１欄第２行まで、又は同第３頁第１欄第１８行から同第３頁第１欄第２１行までの記載から明らかである。この訂正は、特許請求の範囲中の切り替えの意味を明瞭にしたものであるから、明瞭でない記載の釈明に相当するものである。
　即ち、上記訂正事項Ｂ４は、願書に添付した明細書または図面に記載した事項の範囲内の訂正であり、また、特許請求の範囲を拡張しまたは変更するものでもない。
　
　Ｂ５．訂正事項Ｂ５について
　　上記訂正事項Ｂ５については訂正後の特許請求の範囲と明細書本文中に記載された記載との不合理を解消して、その記載を明瞭化したものであり、この構成は、「設定スイッチ」については同第２頁第２欄第３０行から同第２頁第２欄第３３行まで及び第２図に、「表示部」については同第２頁第２欄第３３行から同第２頁第２欄第３６行まで及び第２図に、そしてそれぞれの機能については同第２頁第２欄第３０行から同第２頁第２欄第４１行までに記載されていたものである。この訂正は、特許請求の範囲の記載と明細書本文の記載の不合理を解消し対応を明瞭にしたものであるから、明瞭でない記載の釈明に相当するものである。
　即ち、上記訂正事項Ｂ５は、願書に添付した明細書または図面に記載した事項の範囲内の訂正であり、また、特許請求の範囲を拡張しまたは変更するものでもない。
　
　Ｂ６．訂正事項Ｂ６について
　　上記訂正事項Ｂ６については明細書本文中に記載された「開閉してを出て」が「開閉して出て」の誤記であることが、同第２頁第１欄第４７行前後の文脈から明らかであるから、この訂正は、誤記の訂正に相当するものである。
　即ち、上記訂正事項Ｂ６は、願書に添付した明細書または図面に記載した事項の範囲内の訂正であり、また、特許請求の範囲を拡張しまたは変更するものでもない。
　
　Ｂ８．訂正事項Ｂ８について
　　上記訂正事項Ｂ８については、第２図に示されている動作／設定切り替えスイッチについての説明が、同第２頁第２欄第１６行から同第２頁第２欄第２４行に記載された「動作スイッチ７」についての説明なのか、それとは別の動作スイッチの説明なのかが不明瞭となっているために、第２図に示された動作スイッチは、明細書本文に記載された「動作スイッチ７」とは別のものであることを明瞭化したものでありこの構成は、同第２頁第２欄第２３行からの記載に「動作スイッチ７は装置の内部に設けられ、外部から直接オン−オフはできない」とあることから明らかである。この訂正は、明細書本文中の動作／設定切り替えスイッチの意味を明瞭にしたものであるから、明瞭でない記載の釈明に相当するものである。
　即ち、上記訂正事項Ｂ８は、願書に添付した明細書または図面に記載した事項の範囲内の訂正であり、また、特許請求の範囲を拡張しまたは変更するものでもない。
　
（３）むすび
　以上のとおりであるから、上記訂正は、特許法等の一部を改正する法律（平成６年法律第１１６号。以下、「平成６年改正法」という。）附則第６条第１項の規定によりなお従前の例によるとされる、特許法第１２０条の４第３項において準用する平成６年改正法による改正前の特許法１２６条第１項ただし書、第２項及び第３項の規定に適合するので、当該訂正を認める。
　
４．特許異議の申立についての判断
（１）本件発明
　本件の請求項１に係る発明は上記３．で認定したとおり平成１２年１２月２６日付けで提出された訂正明細書の特許請求の範囲の請求項１に記載されたとおりのものである。
　
（２）申立の理由の概要
　特許異議申立人小沢久美子は、証拠として、
甲第１号証　：　特開昭５８−５８９８号公報
甲第２号証　：　特開昭５８−１２０９４号公報
甲第３号証　：　特許第３００８４１８号公報（本件特許）
を提出し、
本件請求項１に係る発明は、上記甲第１号証および甲第２号証に記載された発明に基づいて 当業者が容易に発明をすることができたものであり、特許法第２９条第２項の規定により、特許を受けることができないものであり、したがって、本件の発明に係る特許は同法第１１３条第１項第２号により取り消すべきものである旨主張している。
　
（３）特許異議申立人が提出した甲各号証記載の発明
ａ．特許異議申立人が提出した甲第１号証（特開昭５８−５８９８号公報）には、
「第１図はこの発明の一実施例の警報システムを示す図解図である。図において、家屋１の各所には火災送信器２，侵入送信器３，ガラス送信器４およびガス送信器５が設けられ、各送信器は、それぞれ、火災、侵入異常、ガラス割れおよびガス漏れを検知する。そして、各送信器は異常を検知したとき異常検知信号を制御器７に送信する。‥‥‥制御器７は前記送信器２ないし５および非常ボタン６からの検知信号に基づいて警報を発生する。たとえば、ダイヤラ８に駆動信号を導出する。このダイヤラ８は電話回線に直結されており、予め警備を依頼している警備センタのダイヤル番号を記憶している。すなわち、ダイヤラ８は制御器７から駆動信号が与えられたとき警備センタ９に異常を通報する。また、制御器７には駆動のための電源が電灯線１０を介して与えられている。制御器７は異常を判断した際この電灯線１０を介してブザーボックス１１に駆動信号を与えるとともに、スイッチボックス１２に駆動信号を与える。」（第２頁右上欄１８行〜同頁左下欄２０行）、
「第３図は第１図における制御器７の外観を示す図である。‥‥‥さらに、制御器７には、家屋１の各所に設けられた侵入送信器３に対応して位置表示ランプ２１が設けられる。さらに、制御器７には、在宅モードに切換えるための在宅ボタン２２，夜間モードに切換えるための夜間ボタン２３、外出モードに切換えるための外出ボタン２４、外泊モードに切換えるための外泊ボタン２５および試験モードに切換えるための試験ボタン２６が設けられる。後に詳細に説明するが、在宅モードとは家人が家屋１内にいるときに設定されるモードで、侵入異常に対する警戒は解除される。夜間モード２３は就寝時に設定されるモードである。外出モードはたとえば家屋１のごく近くで作業（たとえば庭の手入れや洗濯物を干すなど）をする場合に設定されるモードである。外泊モードはたとえば買い物に行く場合や外泊する場合に設定されるモードである。」（第３頁右上欄１０行〜同頁左下欄１３行）、
「玄関ディレイタイマ３３３はたとえば３０秒でタイムアップするように設定される。この玄関ディレイタイマ３３３は、外出あるいは外泊モードに切換えて外出しようとする際、玄関のドアを閉じてから３０秒間は玄関のドアに対する侵入警戒態勢を解除しておくためのタイマである。これは、たとえば忘れ物などのため再び玄関を開ける場合に対処するためである。玄関ディレイ警報タイマ３３４はたとえば４５秒でタイムアップするように設定される。この玄関ディレイ警報タイマ３３４は外出あるいは外泊モード時において玄関のドアが開けられたとき、警報の発生を３０秒間遅延させるためのタイマである。すなわち、４５秒以内に侵入警戒態勢が解除されなければ侵入異常として処理される。」（第４頁左下欄９行〜同頁右下欄３行）、および、
「まず、第６図を参照して外出時における動作について説明する。この場合、制御器７の外出ボタン２４（あるいは外泊ボタン２５）が押圧され、外出モードランプ（外泊モードランプ）が点灯する。そして、制御器７は窓およびドアに対して侵入警戒態勢をとる。しかし、このとき最終出入口（たとえば玄関のドア）に対して侵入警戒態勢はとられていない。次に、外出のために最終出入口を開閉するとともに第５図に示す玄関ディレイタイマ３３３がセットされる。そして、この玄関ディレイタイマ３３３がタイムアップする３０秒後に初めて最終出入口に対する侵入警戒態勢がとられる。‥‥‥次に、第７図を参照して帰宅時の動作について説明する。この場合、最終出入口を開けると同時に第５図に示す玄関ディレイ警報タイマ３３４がセットされ、小さな警報が発声される。この警報は制御器７における在宅ボタン２２の押圧をうながすためのものである。もし、玄関ディレイ警報タイマ３３４がタイムアップする前に在宅ボタン２２が押圧されれば、侵入警戒態勢が解除され、警報もストップする。しかし、玄関ディレイ警報タイマ３３４がタイムアップする４５秒以内に在宅ボタンが押圧されなければ、侵入異常としてダイヤラ８に侵入信号が与えられるとともに大きな警報が発生される。」（第４頁右下欄１９行〜第５頁右上欄８行）ことが図面とともに記載されている。
　
ｂ．同じく特許異議申立人が提出した甲第２号証（特開昭５８−１２０９４号公報）には、「この、発明は警報発生動作を禁止する機能を持った警報装置に関する。従来、物体の侵入を検出とすると警報を発生するような侵入検出装置において、侵入が検出されても警報を発生しないようにするには、特定のスイッチを操作することによって行なっていた。ところが、このように単にスイッチを操作することによって警報を発生しないようにすると、オペレータ以外の第三者がこのスイッチを操作してしまって警報発生動作が禁止されてしまい、侵入検出が行なわれない状態が発生してしまう。この発明は上記のような事情を考慮してなされたものであり、その目的とするところは、第三者が簡単に警報発生動作を禁止することができないような警報装置を提供することにある。‥‥‥第１図はこの発明に係る警報装置を侵入検出装置に実施した場合の全体的なブロック構成図である。図において１は発信装置で、超音波発生駆動部２，トランスデューサ３およびアンテナ４などで構成されており、後述する制御部１０からの送信指令で駆動部２が動作することによりトランスデューサ３から２５KHzの超音波パルスを８サイクル分発生し、これをアンテナ４から送出するようになっている。また、５は受信装置で、上記トランスデューサ３、アンテナ４および差動増幅器６などで構成されており、発信装置１から送出される超音波パルスによって得られる物体からの反射波を受信してこれをトランスデューサ３に導き、トランスデューサ３で得られる信号（以下反射波信号と称する）を差動増幅器６で増幅するようになっている。しかして、受信装置５から出力される反射波信号はゲート回路７へ供給される。このゲート回路７は後述する制御部１０からの受信許可指令で開閉動作するものであり、このゲート回路７が開状態のとき、受信装置５からの反射波信号が積分器８に供給され、ここで積分されることにより微少な電圧変動が抑制されて比較回路９に供給される。この比較回路９は、上記積分された反射波信号電圧を基準電圧Ｖ１と比較し、反射波電圧がＶ１よりも大きい時には論理“１”信号（以下、ターゲットパルスと称する）を出力する。そしてこのターゲットパルスは制御部１０に供給される。」（第１頁左下欄１７行〜第２頁右上欄４行）、
「一方、制御部１０には、暗号を入力するための「０」〜「９」の数字入力用キースイッチと、遅延モードあるいは瞬時モードの両動作モード設定用キースイッチ、スタート用キースイッチ等を備えたキー入力装置１３、および侵入有りを検出した場合に制御部１０からの警報発生指令によって警報音を発生すると共に上記キー入力装置１３におけるキースイッチの操作毎に制御部１０から出力されるキースイッチ操作確認音発生指令によって確認音を発生する警報／確認音発生装置１４が設けられている。ここで、上記暗号とは、オペレータなど関係者だけが記憶している４桁の数字であり、この暗号を上記キー入力装置１３から入力して予め登録しておき、その後、同じ暗号を入力すればオペレータなど関係者に対する警報発生動作が禁止できるようになっている。」（第２頁左下欄１行〜１７行）、
「こうして制御部１０は、ターゲットパルスが供給されるか否かにより、各超音波パルスの送出時から時間ｔ３−0.5ms.が経過するごとに受信装置５で反射波が受信されているか否かを逐次判別し、これにより標的４１による反射波の有無を判別し、この判別結果をもって侵入検出をおこなう。すなわち、制御部１０は、ターゲットパルスが供給されたときには侵入無しとし、一方、ターゲットパルスが供給されないときは侵入有りとして次に警報発生状態に移る。」（第５頁左上欄１５行〜同頁右上欄４行）、および、
「以上説明したようにこの発明によれば、所定の情報が与えられることによって警報を発生する警報発生手段と、キー入力装置によって予め数字、文字の一定の組み合せからからなる暗号を入力しこれを登録する暗号登録手段と、上記手段における暗号登録後、上記キー入力装置によって暗号を入力する暗号入力手段と、上記手段による入力信号と予め登録されている暗号との比較を行う比較手段と、上記手段における比較結果が一致の場合にのみ上記警報発生手段での警報発生動作を禁止する警報禁止手段とを具備したことにより、第三者が簡単に警報動作を禁止することができないようにな警報装置を提供することができる。」（第５頁右下欄１６行〜第６頁左上欄９行）ことが図面とともに記載されている。
　
（４）対比・判断
　本件請求項１に係る発明と特許異議申立人が提出した甲各号証に記載された発明とを対比すると、
甲第１号証については、甲第１号証に記載の「侵入送信器３」、「制御器７」、「ダイヤラ８、ブザーボックス１１」、「在宅ボタン２２、外出ボタン２４、外泊ボタン２５」、「玄関ディレイタイマ３３３及び玄関ディレイ警報タイマ３３４」、「警報システム」はそれぞれ請求項１に係る発明の「防犯センサー」、「センサー発報監視部」、「警報実行手段」、「警戒／解除モード切り換え部」、「タイマー監視部」、「防犯監視装置」に相当するから、甲第１号証には、「防犯センサーからの発報を受けるセンサー発報監視部と、前記センサー発報監視部からの指令により起動する警報実行手段と、前記センサー発報監視部において受けられる前記防犯センサーからの発報を有効なものとする警戒モードから前記防犯センサーからの発報を無効なものとする解除モードへ切り替える警戒／解除モ−ド切り替え部と、前記警戒／解除モード切り替え部で、前記警戒モードに設定された場合、又は玄関の扉が開閉された場合に前記センサー発報監視部の作動を一定時間遅延させるタイマー監視部と、前記警戒／解除モード切り替え部或いは前記タイマー監視部の指令により前記センサー発報監視部の作動を制御する動作スイッチとを備えたことを特徴とする防犯監視装置」について記載されているものの、「前記警戒モードから前記解除モードへの切り替えのために入力が条件となる暗証番号の設定を行う設定モードに切り替える設定スイッチ部と、前記暗証番号の入力を行うテンキーと、前記設定モードに応じた表示を行う表示部とを備え、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗記番号の設定後に前記警戒モードに設定された場合には前記暗証番号の表示を消す機能を有する」点についての記載はない。
　
甲第２号証については、甲第２号証に記載の「アンテナ４」、「受信装置５」、「警報／確認音発生装置１４」、「警報禁止手段」、「キー入力装置」、「警報装置」はそれぞれ請求項１に係る発明の「防犯センサー」、「センサー発報監視部」、「警報実行手段」、「警戒／解除モード切替え部」、「テンキー」、「防犯監視装置」に相当するから、甲第２号証には、「防犯センサーからの発報を受けるセンサー発報監視部と、前記センサー発報監視部からの指令により起動する警報実行手段と、前記センサー発報監視部において受けられる前記防犯センサーからの発報を有効なものとする警戒モードから前記防犯センサーからの発報を無効なものとする解除モードへ切り替える警戒／解除モード切り替え部と、前記警戒モードから前記解除モードへの切り替えのために入力が条件となる暗証番号の入力を行うテンキーとを備えたことを特徴とする防犯監視装置。」について記載されているものの、「前記警戒／解除モード切り替え部で、前記警戒モードに設定された場合、又は玄関の扉が開閉された場合に前記センサー発報監視部の作動を一定時間遅延させるタイマー監視部と、前記警戒／解除モード切り替え部或いは前記タイマー監視部の指令により前記センサー発報監視部の作動を制御する動作スイッチと、前記警戒モードから前記解除モードへの切り替えのために入力が条件となる暗証番号の設定を行う設定モードに切り替える設定スイッチ部と、前記設定モードに応じた表示を行う表示部とを備え、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗記番号の設定後に前記警戒モードに設定された場合には前記暗証番号の表示を消す機能を有する」点についての記載はない。
　
　してみると、特許異議申立人が提出した甲各号証のいずれにも、本件請求項１に係る発明の構成要件である「前記警戒モードから前記解除モードへの切り替えのために入力が条件となる暗証番号の設定を行う設定モードに切り替える設定スイッチ部と、前記設定モードに応じた表示を行う表示部とを備え、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能を有する」点については記載されておらず、かかる事項を示唆する記載もない。
　そして、本件請求項１に係る発明は、かかる事項を構成要件としたことにより、特許権者が意見書（平成１３年４月３日付け）において主張している、外出の度に暗証番号を変えても、暗証番号の設定と確認が容易で、しかも警報発報動作を可能とする警戒モードへの切り替え忘れを防止できるという効果を奏するものである。
　よって、本件請求項１に係る発明は、特許異議申立人小沢久美子が提出した甲第１号証、甲第２号証に記載された発明に基づいて当業者が容易に発明をすることができたものであるとはいえない。
　
（５）むすび
　以上のとおりであるから、特許異議申立の理由及び証拠によっては、本件請求項１に係る発明の特許を取り消すことはできない。
　また、他に本件請求項１に係る発明についての特許を取り消すべき理由を発見しない。
　
　したがって、本件請求項１に係る発明についての特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める制令（平成７年政令第２０５号）第４条第２項の規定により、上記のとおり決定する。
【異議決定日】
平成１３年５月２８日（２００１．５．２８）
【訂正の要旨】
（３）訂正事項（訂正の要旨）
　特許第３００８４１８号発明の明細書を訂正請求書に添付された訂正明細書の通り訂正することを求める。すなわち
Ａ．特許請求の範囲の訂正
　特許第３００８４１８号公報の特許請求の範囲の「防犯センサーからの発報を受けるセンサー発報監視部と、前記センサー発報監視部からの指令により起動する警報実行手段と、前記センサー発報監視部で防犯センサーからの発報を有効なものとする警戒モードから防犯センサーから発報を無効なものとする解除モードへ切り替える警戒／解除モード切り替え部と、前記警戒／解除モード切り替え部で、警戒モードに設定された場合、又は玄関の扉が開閉された場合に動作スイッチの作動を一定時間遅延させるタイマー監視部と、前記警戒／解除モード切り替え部或いは前記タイマー監視部の指令により前記センサー発報監視部の作動を制御する動作スイッチと、前記警戒／解除モード切り替え部に設けられ、切り替えのために入力が条件となる暗証番号の設定及び入力を行うテンキーとを備えたことを特徴とする防犯監視装置。」の記載を、明瞭でない記載の釈明及び特許請求の範囲の減縮を目的として、
「防犯センサーからの発報を受けるセンサー発報監視部と、前記センサー発報監視部からの指令により起動する警報実行手段と、前記センサー発報監視部において受けられる前記防犯センサーからの発報を有効なものとする警戒モードから前記防犯センサーからの発報を無効なものとする解除モードへ切り替える警戒／解除モード切り替え部と、前記警戒／解除モード切り替え部で、前記警戒モードに設定された場合、又は玄関の扉が開閉された場合に前記センサー発報監視部の作動を一定時間遅延させるタイマー監視部と、前記警戒／解除モード切り替え部或いは前記タイマー監視部の指令により前記センサー発報監視部の作動を制御する動作スイッチと、前記警戒モードから前記解除モードヘの切り替えのために入力が条件となる暗証番号の設定を行う設定モードに切り替える設定スイッチ部と、前記暗証番号の入力を行うテンキーと、前記設定モードに応じた表示を行う表示部とを備え、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能を有することを特徴とする防犯監視装置。」と訂正する。この訂正は以下に示す訂正事項よりなる。
　Ａ１．特許第３００８４１８号公報第１ページ第１欄第４行から同第５行における「前記センサー発報監視部で防犯センサーからの」を、明瞭でない記載の釈明を目的として「前記センサー発報監視部において受けられる前記防犯センサーからの」と訂正する。
　Ａ２．同第１ページ第１欄第６行における「防犯センサー」を明瞭でない記載の釈明を目的として、「前記防犯センサー」と訂正する。
　Ａ３．同第１ページ第１欄第６行における「防犯センサーから発報を」を、明瞭でない記載の釈明を目的として、「防犯センサーからの発報を」と訂正する。
　Ａ４．同第１ページ第１欄第８行の「警戒モード」を、明瞭でない記載の釈明を目的として「前記警戒モード」と訂正する。
　Ａ５．同第１ページ第１欄第９行の「動作スイッチの作動」を、明瞭でない記載の釈明を目的として「前記
センサー発報
　Ａ６．同第１ページ第１欄第１３行の「前記警戒／解除モード切り替え部に設けられ、切り替えのために」を明瞭でない記載の釈明を目的として「前記警戒モードから前記解除モードヘの切り替えのために」と訂正する。
　Ａ７．同第１ぺージ第１欄第１４行の「暗証番号の設定及び入力を行うテンキー」を特許請求の範囲の減縮を目的として「暗証番号の設定を行う設定モードに切り替える設定スイッチ部と、前記暗証番号の入力を行うテンキー」と訂正する。
　Ａ８．同第１ページ第１欄第１５行の「テンキーとを備え」を特許請求の範囲の減縮を目的として「テンキーと
、前
ドに
　Ａ９．同第１ページ第１欄第１５行の「備えたことを特徴とする」を、特許請求の範囲の減縮を目的として、「備え、前記設定モードに設定された場合には、前記表示部が前記テンキーにより前記暗証番号の入力を行うべき旨の表示を行うとともに、前記暗証番号の入力に
よっ
定後
Ｂ．明細書本文の訂正
　Ｂ１．同第１ページ第２欄第１４行における「中央監視所など通報」を、誤記の訂正を目的として、「中央監視所などへ通報」と訂正する。
　Ｂ２．同第２ページ第１欄第２６行における「解決するものあり」を、誤記の訂正を目的として、「解決するものであり」と訂正する。
　Ｂ３．同第２ページ第１欄第３４行における「前記センサー発報監視部で防犯センサーからの発報を有効なものとする解除モードへ切り替える」を、誤記の訂正を目的として、前記センサー発報監視部において受けられる前記防犯センサーからの発報を無効なものとする解除モードと有効なものとする警報モードとを切り替える」と訂正する。
　Ｂ４．同第２ページ第１欄第３６行における「設けられ切り替えのための」を、明瞭でない記載の釈明を目的として、「設けられ解除モードヘの切り替えのため
に
　Ｂ５．同第２ページ第１欄第３７行における「設定及び入力を行うテンキーと、を備えたものである」を、明瞭でない記載の釈明を目的として、「設定を行う設定モードに切り替える設定スイッチ部と、前記暗証番号の入力を行うテンキーと、前
記設
ドに
よっ
　Ｂ６．同第２ページ第１欄第４７行における「開閉してを出て」を、誤記の訂正を目的として、「開閉して出て」と訂正する。
　Ｂ７．削除
　Ｂ８．同第２ページ第２欄第４０行における「表示される。これによって」の「表示される。」と「これによって」の間に、明瞭でない記載の釈明を目的として、「なお、動作／設定切替スイッチ９は、上記のように、暗証番号の入力を行う際に押される設定スイッチと暗証番号の入力終了時に押される動作スイッチとからなるが、この動作スイッチは、装置内部に設けられた動作スイッチ７とは別のスイッチであり、あくまで暗証番号の設定終了時に押される動作スイッチである。」を挿入する。
　Ｂ９．削除
（５４）【発明の名称】
防犯監視装置
（５７）【特許請求の範囲】
　【請求項１】　防犯センサーからの発報を受けるセンサー発報監視部と、前記センサー発報監視部からの指令により起動する警報実行手段と、前記センサー発報監視部
において受けられる前記
前記
の
前記
前記センサー発報監視部
前記警戒モードから前記解除モードヘの
を行う設定モードに切り替える設定スイッチ部と、前記暗証番号の
前記設定モードに応じた表示を行う表示部と
、前記設定モードに設定された場合には、前記表示部が前記テンキーにより前記暗証番号の入力を行うべき旨の表示を行うとともに、前記暗証番号の入力によって前記表示部に前記暗証番号を表示し、前記暗証番号の設定後に前記警戒モードに設定された場合には前記暗証番号の表示を消す機能を有する
【発明の詳細な説明】
　【産業上の利用分野】
　本発明は、宅内への不法侵入を防犯センサーにより検知し、防犯センサーからの発報をセンサー発報監視部で受け、例えば外部へ通報する機能を有する防犯監視装置に関する。
　【従来の技術】
　従来の防犯監視装置は、例えば複数設けられた防犯センサーからの発報を監視するセンサー発報監視部と、発報を受けたセンサー発報監視部が出す指令により起動する警報実行手段とからなる。警報実行手段は、例えば警報音を発する警報音送出部、光を発する表示部、あるいは外部に設けられた中央監視所など
へ
　又、居住者が外出し用を済ませ帰宅した際に、玄関の扉を開閉することで防犯センサーが発報し警報音や外部への通報がなされてしまうのを防止するために、玄関の扉の開閉後は一定時間経過するまで発報を無視する機能が備えられている防犯監視装置も存在する。
又、前記警戒モードの設定及び解除モードヘの切り替えは、１つのスイッチを単にオン−オフとすることによって行われていた。
　【発明が解決しようとする課題】
　しかしながら、前記従来の技術では、居住者でない第三者が防犯センサーに引っ掛からずに宅内に侵入し、あるいは錠を使って玄関の扉を開けて侵入すれば、前記スイッチをオフにすることで、事実上防犯監視装置の機能を無効にしてしまうことが可能であった。
　本発明は、このような問題点を解決するも
のであ
　【課題を解決するための手段】
　本発明は以上の目的を達成するためになされたもので、防犯センサーからの発報を受けるセンサー発報監視部と、センサー発報監視部からの指令により起動する警報実行手段と、前記センサー発報監視部
において受けられる前記
無効なものとする解除モードと
警報
とを
解除モードヘの
に
を行う設定モードに切り替える設定スイッチ部と、前記暗証番号の
前記設定モードに応じた表示を行う表示部と
、前記設定モードに設定された場合には、前記表示部が前記テンキーにより前記暗証番号の入力を行うべき旨の表示を行うとともに、前記暗証番号の入力によって前記表示部に前記暗証番号を表示し、前記警戒モードに設定された場合には前記暗証番号の表示を消す機能とを
　【作用】
　従って本発明によれば、テンキーによって暗証番号を入力しなければ解除モードへ切り替えることができないので、暗証番号を知らない第三者は容易に解除モードヘの切り替えを行うことができない。又、暗証番号の設定を自由に行うことで、第三者が暗証番号を見抜くことを困難にできる。また、警戒モードに設定すると、タイマー監視部が働き一定時間経過するまで防犯センサーの発報が無視され、居住者が外出する時に玄関の扉を開閉し
て出
　【実施例】
　本発明の一実施例を第１図〜第３図において説明する。第１図は防犯監視装置全体を示す概略ブロック図、第２図は第１図の装置のキーボード、第３図は装置の動作を示すフロー図である。
　第１図に示すように、一般に複数設けられる防犯センサー１は異常を検知するとセンサー発報監視部２へ発報し、センサー発報監視部２は発報を受けて、警報実行手段である警報音送出部３、表示部４、通報機能部５などへ起動を指令する。指令を受けた警報音送出部３は警報音を発し、表示部４は光を出し、通報機能部５は、例えば電話回線を利用して外部の中央監視部等へ自動的に通報を行うようになっている。切替部６は、防犯センサー１からの発報を有効なものとして扱う警報モードの設定や、この警戒モードから、発報を無効なものとして扱う解除モードヘの切り替えを行う。解除モードヘの切り替えは、直ちに動作スイッチ７をオフにすることで行われ、警戒モードの設定の際は、タイマー監視部８の働きにより一定時間経過の間は動作スイッチ７がオンされず発報が無視され、その後動作スイッチ７がオンにされるようになっている。又、玄関の扉が開閉された場合には、居住者が帰宅した可能性を考え、タイマー監視部８が働いて一定時間、防犯センサーの発報が無視される。なお、動作スイッチ７は装置の内部に設けられ、外部から直接オン−オフはできない。
　第２図は第１図の切替部６のキーボードを表す。このキーボード中の各スイッチやキーの働きは、後述する第３図の説明中で合わせて行う。
　第３図は本実施例の装置の動作を表すフロー図である。
　警戒モードの設定を行うためには、まず動作／設定切替スイッチ９を設定側にセットし、暗証番号の設定を行う（第３図▲１▼）。このスイッチのセットにより表示部１０はテンキーを使って暗証番号の設定すべき旨の表示を行う。そしてテンキー１１を使って任意の暗証番号を設定すると、この暗証番号は表示部１０に表示され、暗証番号の確認が行われる。その後、動作／設定スイッチ９を動作側にセットし、警戒／解除ボタン１２を警戒側にセットし、警戒ランプ１３を点灯する。これにより、表示部１０の暗証番号は消え、代わりに警戒モードに設定（同▲２▼）されたことが表示される。
なお、動作／設定切替スイッチ９は、上記のように、暗証番号の入力を行う際に押される設定スイッチと暗証番号の入力終了時に押される動作スイッチとからなるが、この動作スイッチは、装置内部に設けられた動作スイッチ７とは別のスイッチであり、あくまで暗証番号の設定終了時に押される動作スイッチである。
　さて、居住者が忘れ物をすることもなく、そのまま一定時間が経過する（同▲５▼）と、タイマー監視部８は動作スイッチ７をオンにしセンサー発報部２は機能する。この状態で、防犯センサー１からの発報があれば（同▲６▼）直ちにセンサー発報監視部２から指令が警報音送出部３、表示部４、通報機能部５へ指令が出され（同▲７▼）、警報音送出部３が起動して警報者が発せられ、表示部４が起動して光を出し、通報機能部５が起動して電話回線を介して外部へ通報が行われる。最も防犯センサー１からの発報がなければセンサー発報監視部２は待機を続ける（同▲８▼）。居住者が外出先から帰宅し、錠を使って玄関の扉を開閉させると（同▲９▼）、切替部６が改めて警戒モードに切り替わり、動作スイッチ７は一時的にオフになる。同時にタイマー監視部８のタイマーがカウントし始め（同▲３▼）、一定時間内は防犯センサー１から発報は無視される。この一定時間の間に先に設定された暗証番号がテンキー１１より入力され警戒／解除ボタン１２が解除側ヘセットされれば（同▲４▼）、切替部６は解除モードへ切り替える（同▲１０▼）。しかしこのテンキー１１による入力がなされず、一定時間が経過する（同▲５▼）と、動作スイッチ７は再びオンになり、センサー発報監視部２は機能し防犯センサー１からの発報があれば（同▲６▼）指令を出して警報音の送出や外部への通報が行われる（同▲７▼）。
以上説明したように切替部６により装置を解除モードへ切り替えるためには、装置の設定された暗証番号がテンキー１１により入力されねばならず、玄関の扉を開けて居住者でない第三者が侵入した場合にも、この侵入者が装置を解除モードにすることはできない。又、暗証番号はテンキー１１により外出のたびに変更することができるので、第三者が暗証番号を見抜いてしまうことは困難となる。
以上の実施例においては、タイマー監視部８が設けられ、警戒モードに設定された直後、あるいは玄関の扉が開閉された直後は、一定時間の間防犯センサーからの発報が無視されるものであったが、他の実施例においては例えば第２図に示すキーボード１１を玄関に設けることで、前記タイマー監視部８を省略することができる。即ち暗証番号を設定し警戒モードの設定を行った直後からセンサー発報監視部２が機能するものとしてもよい。
　又、以上の実施例においては警報実行手段は警報音送出部３、表示部４、及び通報機能部５であったが、他の実施例においては必ずしもこれら３つのものを備える必要はなく、警報音送出部３のみであっても構わない。
　【発明の効果】
本発明は上記実施例より明らかなように以下に示す効果を有する。
（１）暗証番号をテンキーにより入力しなければ警戒モードから解除モードヘの切り替えが行えないので、居住者以外の第三者が、この切り替えを行うことを困難にできる。
（２）警戒モードに設定すると、タイマー監視部が働き一定時間経過するまで防犯センサーの発報が無視され、居住者が外出する時に玄関の扉を開閉してを出て行くまでの時間を与えることになるので、誤報を防ぐことができる。
（３）また、警戒モード設定時に、玄関の扉が開閉された場合には、居住者が帰宅した可能性を考え、タイマー監視部が働いて一定時間、防犯センサーの発報が無視され、誤報を防ぐことができると伴に、第三者が侵入して解除モードに切り替えようとしても、一定時間の間にテンキーによる暗唱番号の入力がされないと、センサー発報監視部が機能し確実に発報することができる。
【図面の簡単な説明】
　第１図は本発明の一実施例を示す防犯監視装置の全体概略ブロック図、第２図は第１図の装置のキーボードを示す図、第３図は第１図の動作を説明するためのフロー図である。